(57)【要約】【課題】  軌道輪の鍔の位置に係わらず、同じ構造のものを用いることのできるころ軸受用プレス成形を提供することにより、金型の統一によりコスト低減を図る。【解決手段】  ポケット１１間を仕切る柱部１２の軸方向中央部を径方向内側もしくは外側に屈曲させることにより、両端部とともに外側押さえ部１２ａおよび内側押さえ部１２ｂを形成したプレス成形保持器において、外側押さえ部１２ａの対向最小寸法Ａ１と内側押さえ部１２ｂの対向最小寸法Ｂ１を同じ寸法とすることにより、ポケット１１内へのころ３の挿入を保持器１の内側と外側の双方から行えるようにし、外輪両鍔タイプと内輪両鍔タイプのころ軸受の双方に適用可能とする。【選択図】  図３
2006029371.tif 000002
【特許請求の範囲】
【請求項１】
ころを収容するための複数のポケットが周方向に所定の間隔で形成されているとともに、その各ポケット間を仕切る各柱部が、軸方向両端部に対して中央部が径方向内側もしくは外側に屈曲し、その両端部および中央部のいずれか一方が当該ころ軸受のころのピッチ円径の外側に位置し、かつ、他方が上記ピッチ円径の内側に突出して、これらによってころの外側押さえ部および内側押さえ部を形成してころのポケットからの脱落を防止するように構成されてなるころ軸受用プレス成形保持器において、
互いに隣接する柱部間の対向最小寸法が、上記外側押さえ部と内側押さえ部で互いに等しく設定されていることを特徴とするころ軸受用プレス成形保持器。
【請求項２】
互いに隣接する柱部間の外側押さえ部および内側押さえ部における対向最小寸法が、それぞれころの直径の０．９７〜０．９８５倍の範囲に設定されていることを特徴とする請求項１に記載のころ軸受用プレス成形保持器。
【請求項３】
上記各柱部の外側押さえ部および内側押さえ部においてそれぞれポケットを挟んで対向する面のうち、外側押さえ部の対向面には径方向内側ほど対向寸法が広くなる向きの斜面が、内側押さえ部の対向面には径方向外側ほど対向寸法が広くなる向きの斜面がそれぞれ形成されていることを特徴とする請求項１または２に記載のころ軸受用プレス成形保持器。
【請求項４】
上記外側押さえ部において対向する斜面の対向最小寸法をＡ１、対向最大寸法をＡ２とし、上記内側押さえ部において対向する斜面の対向最小寸法をＢ１、対向最大寸法をＢ２としたとき、Ａ１とＢ１が互いに等しく、かつ、その寸法がころの直径の０．９７〜０．９８５倍の範囲に設定され、Ａ２とＢ２が互いに等しく、かつ、その寸法がころの直径の０．９９〜０．９９５倍の範囲に設定されているとともに、上記外側および内側押さえ部においてそれぞれ対向する各斜面の、ポケットの周方向中心と軸受回転中心とを結ぶ線とのなす角度がそれぞれ９°であることを特徴とする請求項３に記載のころ軸受用プレス成形保持器。
【請求項５】
請求項３または４に記載のころ軸受用プレス保持器の製造方法であって、
ポケットの打ち抜き加工の後で、保持器の外周面に当該外周面に沿った内周面を有する基準治具を当接させた状態で、上記柱部の外側押さえ部の斜面形状に対応する形状を備えた転写治具を各ポケットに対して当該保持器の内側から挿入してその形状を外側押さえ部の対向面に転写させて上記斜面を形成するとともに、保持器の内周面に当該内周面に沿った外周面を有する基準治具を当接させた状態で、上記柱部の内側押さえ部の斜面形状に対応する形状を備えた転写治具を各ポケットに対して当該保持器の外側から挿入してその形状を内側押さえ部の対向面に転写させて上記斜面を形成することを特徴とするころ軸受用プレス成形保持器の製造方法。
【発明の詳細な説明】
【技術分野】
【０００１】
本発明はころ軸受用のプレス成形保持器とその製造方法に関する。
【背景技術】
【０００２】
円筒ころ軸受をはじめとするころ軸受において各ころを周方向に一定の間隔で保持する保持器としては、各ポケットを機械加工により形成するもみぬき保持器と、板材をプレス成形してポケットを形成するプレス成形保持器等が知られている。
【０００３】
このうち、プレス成形保持器においては、各ポケット間を仕切る柱部を、その軸方向両端部に対して中央部を径方向内側もしくは外側に屈曲させることにより、ころのばらけ防止対策を講じたものが知られている。その例を図６（Ａ）に円筒ころ軸受の要部軸平行断面図で、（Ｂ）には要部軸直交断面図で示す。
【０００４】
この例において内輪６１と外輪６２の間に複数のころ６３を周方向に一定の間隔で保持する保持器６４は、ころ６３を収容する各ポケット６４１間を仕切る各柱部６４２を、軸方向両端部に対して中央部を径方向内側に屈曲させ、軸方向両端部はころ６３のピッチ円径Ｄｐの外側においてころ６３が当接する外側押さえ部６４２ａを形成する一方、中央部はころ６３のピッチ円径Ｄｐの内側においてころ６３が当接する内側押さえ部６４２ｂを形成している。外側押さえ部６４２ａおよび内側押さえ部６４２ｂの開口寸法、つまり互いに隣接する柱部６４２の外側押さえ部６４２ａにおける対向最小寸法、並びに内側押さえ部６４２ｂにおける対向最小寸法は、いずれもころ６３の直径よりも小さくしている。  
【０００５】
この構成によると、内輪６１および外輪６２が存在しなくても、各ころ６３は軸受の径方向外側には両側の柱部６４２の外側押さえ部６４２ａに当接し、同じく軸受の径方向内側には両側の柱部６４２の内側押さえ部６４２ｂに当接して、ポケット６４１から脱落することがない。
【０００６】
従来のこの種のころ軸受用プレス成形保持器においては、内側押さえ部６４２ｂの対向最小寸法は、外側押さえ部６４２ａ間の対向最小寸法に比して大きくされ、ころ６３の組付けに際しては、もっぱら保持器６３の径方向内側からころ６３をポケット６４２に押し込むことによって、内側押さえ部６４２ｂにおいて柱部６４２を弾性変形させてころ６３の直径部を通過させ、これによってころ６３をポケット６４１内に組み込む（例えば特許文献１，２参照）。
【０００７】
以上のような保持器６４は、上記したように保持器６４の内側からのみころ６３の挿入が可能であることから、図６（Ａ）に示すようなタイプのころ軸受、つまり外輪６２の軸方向両側に鍔６２ａが形成され、内輪６１には鍔がないＮＵと称されるタイプか、外輪６２は同じで内輪６１の軸方向片側にのみ鍔があるＮＪと称されるタイプに適用される。
【０００８】
これに対し、図７に軸平行断面図を示すように、内輪７１の軸方向両側に鍔７１ａが形成されて外輪７２に鍔のないＮと称されるタイプか、これと内輪７１は同じで外輪７２の軸方向片側にのみ鍔があるＮＦと称されるタイプには、この図７に示すように、保持器７４の柱部７４２はその軸方向中央部が径方向外側に屈曲してころ７３に対してそのピッチ円径Ｄｐ（図示略）の外側で当接する外側押さえ部７４２ａを形成し、軸方向両端部がころ７３のピッチ円径Ｄｐの内側でころ７３に対して当接する内側押さえ部７４２ｂを形成してなる保持器７４が用いられる。
【０００９】
この構造の保持器７４においては、外側押さえ部７４２ａにおける対向最小寸法は内側押さえ部７４２ｂの対向最小寸法よりも大きく設定され、ころ７３の組付けに際しては、図６のものとは逆に、ころ７３はもっぱら保持器７４の外側からポケット７４１に押し込むことによって、外側押さえ部７４２ａにおいて柱部７４２を弾性変形させてころ７３の直径部を通過させ、これによってころ７３をポケット７４１内に組み込む。
【特許文献１】特開２０００−２４９１４８号公報
【特許文献２】特開２０００−３３７３８８号公報
【発明の開示】
【発明が解決しようとする課題】
【００１０】
ところで、以上のような保持器の柱部を径方向に屈曲させることによって外側押さえ部および内側押さえ部を備えた従来のプレス成形保持器においては、主寸法等が同じであっても軌道輪の鍔の位置に応じて、柱部の中央部を内側に屈曲させるたものと外側に屈曲させたもののいずれかを用いる必要があり、従って、成形のための金型が２タイプ必要であった。
【００１１】
また、この種のプレス成形保持器においては、ポケット内でのころの径方向への移動量が大きい場合には、組立状態において保持器の移動量が大きくなり、保持器の振動やころ落ち音などに起因する軸受の振動や騒音レベルが大きくなるという問題がある。
【００１２】
更に、この種のプレス成形保持器では、板厚に対する柱部の幅（周方向への寸法）の比が小さくなるほど、ポケット抜き加工時において柱部の変形が大きくなり、柱部の倒れ、保持器の真円度の悪化が顕著になり、保持器の精度低下を招きやすいという問題もある。  
【００１３】
本発明はこのような実情に鑑みてなされたもので、その主たる課題は、ＮＵ，ＮＪとＮ，ＮＦのいずれのタイプであっても、同じ構造のプレス成形保持器を用いることができ、もって保持器を成形するための金型のタイプを統一することのできるころ軸受用プレス成形保持器を提供することにある。
【００１４】
加えて、本発明の他の課題は、組立後に保持器のポケット内でのころの径方向への移動量を小さくして、保持器のの振動やころ落ち音などに起因する軸気の振動や騒音レベルを低下させることのできるころ軸受用プレス成形保持器を提供することにある。
【００１５】
また、本発明の更に他の課題は、上記のような騒音や振動レベルを抑制することのできるプレス成形保持器を、板厚に対する柱部の幅の比が小さくても、高い歩留りのもとに高精度に製造することのできる方法を提供することにある。
【課題を解決するための手段】
【００１６】
上記した主たる課題を解決するため、本発明のころ軸受用プレス成形保持器は、ころを収容するための複数のポケットが周方向に一定の間隔で形成されているとともに、その各ポケット間を仕切る各柱部が、軸方向両端部に対して中央部が径方向内側もしくは外側に屈曲し、その両端部および中央部のいずれか一方が当該ころ軸受のころのピッチ円径の外側に位置し、かつ、他方が上記ピッチ円径の内側に突出して、これらによってころの外側押さえ部および内側押さえ部を形成してころのポケットからの脱落を防止するように構成されてなるころ軸受用プレス成形保持器において、互いに隣接する柱部間の対向最小寸法が、上記外側押さえ部と内側押さえ部で互いに等しく設定されていることによって特徴づけられる（請求項１）。
【００１７】
ここで、本発明においては、互いに隣接する柱部間の外側押さえ部および内側押さえ部における対向最小寸法を、それぞれころの直径の０．９７〜０．９８５倍の範囲に設定さした構成（請求項２）を好適に採用することができる。
【００１８】
また、上記に加えて前記した他の課題を解決するため、請求項３に係る発明のころ軸受用プレス成形保持器は、上記各柱部の外側押さえ部および内側押さえ部においてそれぞれポケットを挟んで対向する面のうち、外側押さえ部の対向面には径方向内側ほど対向寸法が広くなる向きの斜面が、内側押さえ部の対向面には径方向外側ほど対向寸法が広くなる向きの斜面がそれぞれ形成されていることによって特徴づけられる。
【００１９】
そして、この請求項３に係る発明においては、上記外側押さえ部において対向する斜面の対向最小寸法をＡ１、対向最大寸法をＡ２とし、上記内側押さえ部において対向する斜面の対向最小寸法をＢ１、対向最大寸法をＢ２としたとき、Ａ１とＢ１が互いに等しく、かつ、その寸法がころの直径の０．９７〜０．９８５倍の範囲に設定され、Ａ２とＢ２が互いに等しく、かつ、その寸法がころの直径の０．９９〜０．９９５倍の範囲に設定されているとともに、上記外側および内側押さえ部においてそれぞれ対向する各斜面の、ポケットの周方向中心と軸受回転中心を結ぶ線とのなす角度がそれぞれ９°である構成（請求項４）を好適に採用することができる。
【００２０】
そして、前記した更に他の課題を解決するため、本発明のころ軸受用プレス成形保持器の製造方法は、請求項３または４に記載のころ軸受用プレス保持器の製造方法であって、ポケットの打ち抜き加工の後で、保持器の外周面に当該外周面に沿った内周面を有する基準治具を当接させた状態で、上記柱部の外側押さえ部の斜面形状に対応する形状を備えた転写治具を各ポケットに対して当該保持器の内側から挿入してその形状を外側押さえ部の対向面に転写させて上記斜面を形成するとともに、保持器の内周面に当該内周面に沿った外周面を有する基準治具を当接させた状態で、上記柱部の内側押さえ部の斜面形状に対応する形状を備えた転写治具を各ポケットに対して当該保持器の外側から挿入してその形状を内側押さえ部の対向面に転写させて上記斜面を形成することによって特徴づけられる（請求項５）。
【００２１】
本発明は、柱部を内側もしくは外側に屈曲させることによって、ころのピッチ円径の内・外においてころの押さえ部を形成したプレス成形保持器において、ポケット内へのころの挿入・組み付けを保持器の内側および外側の双方から可能とすることによって、互いを解決しようとするものである。
【００２２】
すなわち、本発明においては、柱部の中央部を内側もしくは外側に屈曲させることにより、両端部と協働して外側押さえ部ないしは内側押さえ部を形成するプレス成形保持器におてい、外側押さえ部と内側押さえ部の双方の対向最小寸法を互いに等しくする。これにより、ポケット内へのころの挿入を内側および外側の双方から同等の力により行うことができ、ＮＵおよびＮＪと、ＮおよびＮＦのいずれのタイプのころ軸受に対しても、同じ保持器を用いることが可能となり、成形用の金型の統一を図ることができる。
【００２３】
そして、外側押さえ部および内側押さえ部の対向最小寸法は、ころの直径の０．９７〜０．９８５倍とすることが、ころの組み付けを容易とし、しかもころの脱落を防止するうえで有効である。この対向最小寸法がころの直径の０．９７倍未満であると、ころのポケット内への挿入が困難となり、ころの直径の０．９８５を越えると、ころのポケットからの脱落を有効に防止することができない。
【００２４】
また、上記に加えて、請求項３に係る発明のように、各ポケットを挟んで対向する外側押さえ部の対向面には、径方向内側ほど対向寸法が広くなる斜面を、内側押さえ部の対向面には、径方向外側ほど広くなる斜面を形成すれば、その斜面の寸法や角度を適宜に選定することにより、ポケット内におけるころの径方向への移動量の制御が可能となる。
【００２５】
このような斜面の寸法および角度として、請求項４に係る発明のように、外側押さえ部と内側押さえ部の対向最小寸法Ａ１とＢ１をそれぞれころの直径の０．９７〜０．９８５倍に、同じく外側押さえ部と内側押さえ部の対向最大寸法Ａ２とＢ２をそれぞれころの直径の０．９９〜０．９９５倍とし、かつ、ポケットの周方向中心と軸受回転中心とを結ぶ線に対する各斜面の角度を９°とすることにより、ポケットに対する保持器の内側および外側の双方からのころの挿入を容易とし、かつ、ころの脱落を防止しながら、ポケット内でのころの半径方向への移動量を少なくして、保持器の移動に起因する振動や騒音レベルを低く抑制することができる。
【００２６】
そして、以上のような外側押さえ部および内側押さえ部に斜面を形成したプレス成形保持器の製造に際して、請求項５に係る発明のように、ポケットの打ち抜き後に、外側押さえ部および内側押さえ部の斜面を形成すべく、これらの各斜面に対応する形状を備えた転写治具と、保持器の外周面もしくは内周面に沿った内周面もしくは外周面を有する基準治具を用いることにより、ポケットの打ち抜き時に生じた柱部の倒れや真円度の悪化を矯正することができる。外側押さえ部の斜面形成に際しては、保持器の外側にその外周面に沿うように基準治具を当てた状態で、転写治具を各ポケットに対し内側から挿入して斜面を転写し、内側押さえ部の斜面形成に際しては、保持器の内側にその内周面に沿うように基準治具を当てた状態で、転写治具を各ポケットに対して外側から挿入して斜面を転写すれば、柱部の手倒れの矯正と真円度の矯正を同時に行うことができ、板厚に対する柱部の幅の比が小さくても、最終的に高精度の保持器を得ることができる。
【発明の効果】
【００２７】
本発明によれば、柱部の軸方向中央部を径方向内側もしくは外側に屈曲させることにより、その中央部と両端部でころの内側押さえ部および外側押さえ部を形成したころ軸受用プレス成形保持器において、ポケットに対してころを保持器の内側と外側のいずれの方向からでも挿入することができ、これにより、外輪の軸方向両側に鍔が形成されているＮＵおよびＮＪタイプ、および、内輪の軸方向両側に鍔が形成されているＮおよびＮＦタイプのいずれのタイプであっても、同じ構造の保持器を用いることが可能となる結果、各タイプの軸受用の保持器を成形するための金型を統一することができ、コストを低減することができる。
【００２８】
また、請求項３ないしは４に係る発明のように、外側押さえ部および内側押さえ部の各対向面に斜面を形成することにより、その斜面の寸法・角度を適宜に選定することで、ポケット内でのころの径方向への移動量を少なくし、ひいては組立状態における保持器の移動を制限して、保持器の振動やころ落ち音に起因する軸受の振動や騒音レベルを有効に低下させることができる。
【００２９】
そして、請求項５に係る発明のように、ポケットの打ち抜き後に、その外周面に基準治具を沿わせた状態で内側から転写治具をポケット内に挿入することによって外側押さえ部の斜面を転写形成し、同じくその内周面に基準治具を沿わせた状態で外側から転写治具をポケット内に挿入することによって内側押さえ部の斜面を転写形成する製造方法を採用することにより、各斜面の形成と同時に、ポケットの打ち抜き時に生じた柱部の倒れや真円度の悪化を矯正することが可能となり、板厚に対する柱部の幅が小さい保持器でも、高い歩留りのもとに柱部の倒れのない真円度の良好な高精度の保持器を製造することが可能となる。
【発明を実施するための最良の形態】
【００３０】
以下、図面を参照しつつ本発明の実施の形態について説明する。
図１は本発明の実施の形態の外観図であり、図２はその要部軸平行断面図で、図３はそのＡ−Ａ断面図である。なお、図２は図３におけるＢ−Ｂ断面図を示している。
【００３１】
保持器１には周方向に一定の間隔でそれぞれころ３を収容するための複数のポケット１１が形成されており、その各ポケット１１の間を仕切る柱部１２は、その軸方向両端部に対して中央部が内側に屈曲し、両端部が組立状態におけるころ３のピッチ円径Ｄｐの外側においてころ３に当接する外側押さえ部１２ａを形成する一方、中央部が同じく組立状態におけるころ３のピッチ円径Ｄｐの内側においてころ３に当接する内側押さえ部１２ｂを形成している。
【００３２】
各外側押さえ部１２ａの側面、つまりポケット１１を挟んで互いに対向する面には、それぞれ斜面１２０ａが形成されている。この外側押さえ部１２ａの斜面１２０ａの向きは、互いに対向する斜面１２０ａ間の対向寸法が、径方向内側ほど広くなる向きである。また、各内側押さえ部１２ｂの側面、つまりポケット１１を挟んで互いに対向する面にも、それぞれ斜面１２０ｂが形成されている。この内側押さえ部１２ｂの斜面１２０ｂの向きは、互いに対向する斜面１２０ｂ間の対向寸法が、径方向外側ほど広くなる向きである。  
【００３３】
そして、各斜面１２０ａおよび１２０ｂは、図３に示すように、ポケット１１の周方向中心と軸受の回転中心を結ぶ線に対する傾斜角度θは全て等しく、θ＝９°に設定されている。なお、図３においてＣで示される線は、ポケット１１の周方向中心と軸受の回転中心とを結ぶ線と平行な線である。
【００３４】
また、外側押さえ部１２ａにおいて互いに対向する斜面１２０ａ間の対向寸法について、その最小の寸法、つまり斜面１２０ａどうしが最も接近している位置での寸法（対向最小寸法）をＡ１、最も離隔している位置での寸法（対向最大寸法）をＡ２とし、内側押さえ部１２ｂにおいて互いに対向する斜面１２０ｂ間の最小寸法（対向最小寸法）をＢ１、最も離隔している位置での寸法（対向最大寸法）をＢ２とし、ころ３の直径をＤＷとしたとき、
Ａ１＝Ｂ１＝（０．９７〜０．９８５）ＤＷ
Ａ２＝Ｂ２＝（０．９９〜０．９９５）ＤＷ
となっている。
【００３５】
なお、外側押さえ部１２ａおよび内側押さえ部１２ｂにおいて互いに対向する面は、斜面１２０ａもしくは１２０ｂの形成部分以外は線Ｃに沿った面、つまり互いに平行に対向する面１２１ａ，１２１ｂとなっており、これらの面１２１ａ，１２１ｂの対向寸法は、斜面１２０ａ，１２０ｂの対向最小寸法と等しい。
【００３６】
以上の実施の形態によると、外側押さえ部１２ａおよび内側押さえ部１２ｂの対向最小寸法Ａ１，Ｂ１が互いに等しく、ころ３の直径ＤＷに対して上記した倍率範囲に設定されているため、ポケット１１に対してころ３を保持器１の内側からでも外側からでも等しく挿入することができる。よって、本発明の実施の形態は、図６に示したＮＵおよびＮＪタイプのころ軸受のほか、ＮおよびＮＦタイプのころ軸受にも等しく用いることができる。  
【００３７】
また、ころ３はポケット１１内で外側押さえ部１２ａおよび内側押さえ部１２ｂに形成されている斜面１２０ａ，１２０ｂに正接し、その径方向への動きが規制される結果、組立状態における保持器の振動やころ落ち音などに起因する軸受の振動や騒音レベルが低減する。
【００３８】
次に、以上の本発明の実施の形態を製造するに当たり、その斜面１２０ａ，１２０ｂの形成工程について説明する。図４および図５にその説明図を示す。これらの各図において、（Ａ）は全体の概略図であり、（Ｂ）はその部分拡大図である。
【００３９】
この斜面形成工程は、ポケット１１の打ち抜き並びに柱部１２の曲げ加工を完了した後に行われ、外側押さえ部１２ａの斜面１２０ａとと内側押さえ部１２ｂの斜面１２０ｂについて個別に行われる。
【００４０】
外側押さえ部１２ａの斜面１２０ａの形成に際しては、図４に示すように、保持器１の外周面、つまり外側押さえ部１２ａの外周面に、その外径よりも僅かに大きな内径寸法の孔を備えた基準治具２０を沿わせた状態で、外側押さえ部１２ａの斜面１２０ａに対応する斜面形状２１ａが先端部両側に形成されている転写治具２１を保持器１の内側から各ポケット１１内に挿入してその両側の外側押さえ部１２ａに押し付ける。これにより、転写治具２１の斜面形状２１ａを外側押さえ部１２ａの対向面にそれぞれ転写することができる。そして、このとき、保持器１の外周面が基準治具２０の内周面に沿っているので、外側押さえ部１２ａ並びにその軸方向外側の円環部分も併せて、真円度が悪化している場合でも、これを矯正することができると同時に、外側押さえ部１２ａの倒れがあってもこれを矯正することができる。
【００４１】
一方、内側押さえ部１２ｂの斜面１２０ｂの形成に際しては、図５に示すように、保持器１の内周面、従って内側押さえ部１２ｂの内周面に、その内径よりも僅かに小さな外径の円筒面を備えた基準治具２２を沿わせた状態で、内側押さえ部１２ｂの斜面１２０ｂに対応する斜面形状２３ａが先端部両側に形成されている転写治具２３を保持器１の外側から各ポケット１１内に挿入してその両側の内側押さえ部１２ｂに押し付ける。これによって転写治具２３の斜面形状２３ａを内側押さえ部１２ｂの対向面にそれぞれ転写することができる。また、このとき、保持器１の内周面が基準治具２２の外周面に沿っているので、内側押さえ部１２ｂの真円度および倒れが矯正される。
【００４２】
ここで、以上の実施の形態においては、柱部１２の軸方向中央部を径方向内側に屈曲させて内側押さえ部１２ｂを形成した例を示したが、本発明はこれに限定されることなく、柱部の軸方向中央部を径方向外側に屈曲させた、図７に例示した構造の保持器にも等しく適用することができ、いずれの場合においても、軌道輪の鍔の形成位置に係わらず、同じ構造の保持器を用いることができ、従って成形用の金型の統一が可能となる。
【図面の簡単な説明】
【００４３】
【図１】本発明の実施の形態の外観図である。
【図２】図２は本発明の実施の形態の要部軸平行断面図である。
【図３】図２におけるＡ−Ａ断面図である。
【図４】本発明の実施の形態における外側押さえ部１２ａの斜面１２０ａの形成工程の説明図であり、（Ａ）は全体の概略図、（Ｂ）はその部分拡大図である。
【図５】本発明の実施の形態における内側押さえ部１２ｂの斜面１２０ｂの形成工程の説明図であり、（Ａ）は全体の概略図、（Ｂ）はその部分拡大図である。
【図６】柱部の軸方向中央部を径方向内側に屈曲させた従来のプレス成形保持器を用いた円筒ころ軸受の構成例を示す図であり、（Ａ）は要部軸平行断面図で、（Ｂ）は要部軸直交断面図である。
【図７】柱部の軸方向中央部を径方向外側に屈曲させた従来のプレス成形保持器を用いた円筒ころ軸受の構成例を示す要部軸平行断面図である。
【符号の説明】
【００４４】
１  保持器
１１  ポケット
１２  柱部
１２ａ  外側押さえ部
１２０ａ  斜面
１２ｂ  内側押さえ部
１２０ｂ  斜面
３  ころ
２０，２２  基準治具
２１，２３  転写治具
２１ａ，２３ａ  斜面形状
【図１】
2006029371.tif 000003
【図２】
2006029371.tif 000004
【図３】
2006029371.tif 000005
【図４】
2006029371.tif 000006
【図５】
2006029371.tif 000007
【図６】
2006029371.tif 000008
【図７】
2006029371.tif 000009